(57)【要約】【課題】  未燃焼ガスの放出のおそれのない燃焼装置を安価に提供する。【解決手段】  少なくとも３つ以上の能力切替弁を備え、燃焼能力の増大に応じて、能力切替弁を所定の燃焼順序に従って第１、第２、第３の順次開弁させる制御構成を備えた燃焼装置において、未燃焼ガスの放出防止対策が必要な３番目以降に開弁する能力切替弁のソレノイド（例えば第３の能力切替弁のソレノイドＳＬ３）に直流電源回路４から駆動電力を供給する電源供給ラインを、燃焼順序においてこの能力切替弁の直前に開弁する能力切替弁のソレノイド（例えば第２の能力切替弁のソレノイドＳＬ２）に駆動電力を供給する電源供給ラインに接続し、この直前に開弁する能力切替弁のソレノイドに駆動電力が供給されていなければ３番目以降の能力切替弁のソレノイドに駆動電力が供給されないように構成する。【選択図】  図１
2005069556.tif 000002
【特許請求の範囲】
【請求項１】
燃焼能力を複数段階に切り替えるための、少なくとも３つ以上の燃焼能力切替燃料弁と、前記各燃焼能力切替燃料弁のそれぞれに連通するバーナを備えた燃焼装置であって、前記燃焼能力切替燃料弁に駆動電力を供給する弁駆動回路が、燃焼能力の増大に応じて、前記燃焼能力切替燃料弁を所定の燃焼順序に従って順次開弁させる制御構成を備えた燃焼装置において、
一の燃焼能力切替燃料弁への開弁制御用の駆動電力が、前記所定の燃焼順序において前記一の燃焼能力切替燃料弁の前に開弁する他の燃焼能力切替燃料弁に対して駆動電力を供給していなければ供給されないように前記弁駆動回路が構成されている
ことを特徴とする燃焼装置。
【請求項２】
燃焼能力を複数段階に切り替えるための、少なくとも３つ以上の燃焼能力切替燃料弁と、前記各燃焼能力切替燃料弁のそれぞれに連通するバーナを備えた燃焼装置であって、前記燃焼能力切替燃料弁に駆動電力を供給する弁駆動回路が、燃焼能力の増大に応じて、前記燃焼能力切替燃料弁を所定の燃焼順序に従って順次開弁させる制御構成を備えた燃焼装置において、
一の燃焼能力切替燃料弁への開弁制御用の駆動電力が、前記所定の燃焼順序において前記一の燃焼能力切替燃料弁の前に開弁する他の燃焼能力切替燃料弁であって、当該一の燃焼能力切替燃料弁が連通するバーナに隣接して設けられたバーナに連通する燃焼能力切替燃料弁に対して駆動電力を供給していなければ供給されないように前記弁駆動回路が構成されている
ことを特徴とする燃焼装置。
【請求項３】
前記弁駆動回路は、前記駆動電力を生成する電源手段と、前記各燃焼能力切替燃料弁への通電を制御するスイッチ手段とを有してなり、
前記一の燃焼能力切替燃料弁に対する電源供給ラインが、前記電源手段から前記他の燃焼能力切替燃料弁用のスイッチ手段を介して前記他の燃焼能力切替燃料弁に駆動電力を供給する電源供給ラインに接続されるとともに、前記一の燃焼能力切替燃料弁用の前記スイッチ手段が、これらの接続点と前記一の燃焼能力切替燃料弁との間に介装されていることを特徴とする請求項１または２に記載の燃焼装置。
【請求項４】
前記スイッチ手段は、前記所定の燃焼順序に従って燃焼能力切替燃料弁の開弁順序を制御する制御手段によってスイッチのオン／オフ制御が行われる継電器で構成されていることを特徴とする請求項３に記載の燃焼装置。
【発明の詳細な説明】
【技術分野】
【０００１】
この発明は、燃焼装置の燃焼能力切替制御装置に関し、より詳細には、バーナに連通する燃焼能力切替燃料弁を順次開弁させることによって第１のバーナから第２のバーナへ、さらに第２のバーナから第３のバーナへと段階的に火移りさせながら燃焼能力を増大させるように構成された燃焼装置における燃焼能力切替燃料弁の開閉制御技術に関する。
【背景技術】
【０００２】
図４は、ガス燃焼装置における燃焼能力切替燃料弁（以下「能力切替弁」という）の配置構成の一例を示している。図示の燃焼装置では、上記能力切替弁としてＳＶ１〜ＳＶ３に示す３個の電磁弁が備えられている。各能力切替弁ＳＶ１〜ＳＶ３には、それぞれの電磁弁に連通してバーナＢ（図示例ではＢ１〜Ｂ３）が設けられており、能力切替弁を開弁させることによって当該能力切替弁に連通するバーナに燃料ガスが供給されるように構成されている。
【０００３】
また、上記バーナＢ１〜Ｂ３のうちの少なくともいずれか一つ（図示例ではバーナＢ１）には、その燃料噴射口に臨んで着火装置１（具体的には、火花放電を引き起こすための放電電極）が配設される。さらに、この放電電極１の近傍の火炎形成位置にはバーナへの着火（炎）の有無を検出する炎検出装置（フレームロッド）２が配設される。
【０００４】
なお、この種の燃焼装置では、通常、これら能力切替弁ＳＶ１〜ＳＶ３の上流側（つまり燃料供給源側）には、燃料ガスの供給ガス圧を調節するガス比例弁（図示せず）と、燃料ガスの供給／停止を大元で司る元ガス電磁弁ＳＶとが設けられるが、これらの構成は周知であるので詳細な説明は省略する。
【０００５】
そして、このように構成された燃焼装置では、その燃焼開始時には、まず着火装置１を作動させて火花を起こすと共に、着火装置に対向して配設された第１のバーナＢ１に連通する能力切替弁ＳＶ１を開弁させて第１のバーナＢ１から燃料ガスを放出させて該第１のバーナＢ１に着火する。そして、燃焼能力を増大させる場合には、予め定められた所定の燃焼順序に基づいて、燃焼中のバーナ（図示例ではバーナＢ１）に隣接する第２のバーナ（図示例ではバーナＢ２）の能力切替弁ＳＶ２を開弁させて上記第１のバーナＢ１の炎を火種として第２のバーナＢ２に着火する。そして更なる燃焼能力の増大が必要な場合には、燃焼中の上記第１および第２バーナＢ１，Ｂ２のいずれかに隣接する第３のバーナ（図示例ではバーナＢ３）の能力切替弁ＳＶ３を開弁させて燃焼中のバーナＢ２の炎を火種として第３のバーナＢ３に着火する。
【０００６】
このように、従来の燃焼装置では、第１のバーナＢ１のみが着火装置１によって着火され、その他のバーナ（第２のバーナＢ２や第３のバーナＢ３）は、燃焼中のバーナの炎を火種として、この火種となるバーナの炎を火移りさせることによって着火する構成が採用されている。
【０００７】
図５は、このような従来の燃焼装置における各電磁弁の弁駆動回路の一例を示す回路図である。図において符号ＳＬ，ＳＬ１〜ＳＬ３で示すのは、上記元ガス電磁弁ＳＶおよび能力切替弁ＳＶ１〜ＳＶ３を駆動するためのソレノイドである。これらソレノイドＳＬ，ＳＬ１〜ＳＬ３は、それぞれその一端がリレー接点ＲＬ，ＲＬ１〜ＲＬ３を介して直流電源回路４の出力側の一端に接続されるとともに、その他端がコモンリレーのリレー接点ＲＬｃを介して上記直流電源回路４の出力側の他端に接続されている。
【０００８】
また、図において符号３で示すのは燃焼装置の制御装置（制御手段）であり、この制御装置３によって燃焼装置各部の動作が制御されている。すなわち、この制御装置３により着火装置１の動作タイミングや、元ガス電磁弁ＳＶや各能力切替弁ＳＶ１〜ＳＶ３の開閉制御などが行われる。特に、元ガス電磁弁ＳＶや能力切替弁ＳＶ１〜ＳＶ３の開閉制御に関しては、この制御装置３は、上記リレー接点ＲＬ，ＲＬ１〜ＲＬ３に対応する継電器（図示せず）と電気的に接続され、後述する所定の燃焼順序にしたがってこれらリレー接点ＲＬ，ＲＬ１〜ＲＬ３の開閉制御（オン・オフ制御）を行う。
【０００９】
そして、このように構成された弁駆動回路では、燃焼開始に先立ち、まず、上記リレー接点ＲＬを閉成させて元ガス電磁弁ＳＶのソレノイドＳＬに直流電源回路４から駆動電力を与えて元ガス電磁弁ＳＶを開弁させる。なお、この直流電源回路４は、図示のように、たとえば商用電源５の交流１００ボルトを直流電力に整流平滑するブリッジ整流回路で構成される。
【００１０】
そして、燃焼開始時には、上記能力切替弁ＳＶ１のソレノイドＳＬ１の一端に接続されたリレー接点ＲＬ１を閉成させてソレノイドＳＬ１に直流電源回路４から駆動電力を供給し、上記第１のバーナＢ１に連通する能力切替弁ＳＶ１を開弁させる。また、上記第２のバーナＢ２に連通する能力切替弁ＳＶ２を開弁させる場合には、ソレノイドＳＬ２の一端に接続されたリレー接点ＲＬ２を閉成させて上記同様にソレノイドＳＬ２に駆動電力を供給する。さらに、第３のバーナＢ３に連通する能力切替弁ＳＶ３を開弁させる際には、ソレノイドＳＬ３の一端に接続されたリレー接点ＲＬ３を閉成させてソレノイドＳＬ３に駆動電力を供給する。
【００１１】
このように、従来の燃焼装置では、元ガス電磁弁や能力切替弁等の各電磁弁ＳＶ，ＳＶ１〜ＳＶ３のソレノイドＳＬ，ＳＬ１〜ＳＬ３と直流電源回路４の出力側の一端とがリレー接点ＲＬ，ＲＬ１〜ＲＬ３を介して直結されており、上記リレー接点ＲＬ，ＲＬ１〜ＲＬ３の閉成によって各電磁弁ＳＶ，ＳＶ１〜ＳＶ３が開弁されるように構成されている（特許文献１参照）。
【００１２】
【特許文献１】特開平８−２４７４５４号公報
【発明の開示】
【発明が解決しようとする課題】
【００１３】
しかしながら、このような従来の構成よりなる燃焼装置では以下のような問題があり、その改善が望まれていた。
【００１４】
すなわち、従来の燃焼装置では、上記各電磁弁ＳＶ，ＳＶ１〜ＳＶ３がそれぞれ独立して（相互の状態に関係なく）開弁可能であることから、たとえば、弁駆動回路の誤動作等（たとえばリレー接点のオン／オフを制御する制御装置の故障やリレー接点のオン故障など）により、第２のバーナＢ２に連通する能力切替弁ＳＶ２が閉弁状態であるにもかかわらず、第３のバーナＢ３に連通する能力切替弁ＳＶ３が開弁するおそれがあった。このように、隣接するバーナが燃焼していない状態で能力切替弁が開弁すると、上述したような火移りは生じないので、従来の燃焼装置においては、バーナから未燃焼ガスが放出されるおそれがあった。
【００１５】
また、かかる未燃焼ガスの放出を防止するため、従来の燃焼装置においては、燃焼順序が３番目以降に設定されたバーナについて、元ガス電磁弁用の弁監視回路６とは別に専用の弁監視回路ａを設けることがあるが、このような専用の弁監視回路ａを設ける構成では、当該弁監視回路ａの増設による製造コストの上昇を招き、安価な燃焼装置を提供できないという問題があった。
【課題を解決するための手段】
【００１６】
上記目的を達成するため、本発明に係る燃焼装置は、燃焼能力を複数段階に切り替えるための、少なくとも３つ以上の能力切替弁と、上記各能力切替弁のそれぞれに連通するバーナを備えた燃焼装置であって、上記能力切替弁に駆動電力を供給する弁駆動回路が、燃焼能力の増大に応じて、上記能力切替弁を所定の燃焼順序に従って順次開弁させる制御構成を備えた燃焼装置において、一の能力切替弁への開弁制御用の駆動電力が、上記所定の燃焼順序において上記一の能力切替弁の前に開弁する他の能力切替弁に対して駆動電力を供給していなければ供給されないように上記弁駆動回路が構成されていることを特徴とする。
【００１７】
また、本発明は、他の好適な実施態様として、燃焼能力を複数段階に切り替えるための、少なくとも３つ以上の能力切替弁と、上記各能力切替弁のそれぞれに連通するバーナを備えた燃焼装置であって、上記能力切替弁に駆動電力を供給する弁駆動回路が、燃焼能力の増大に応じて、上記能力切替弁を所定の燃焼順序に従って順次開弁させる制御構成を備えた燃焼装置において、一の能力切替弁への開弁制御用の駆動電力が、上記所定の燃焼順序において上記一の能力切替弁の前に開弁する他の能力切替弁であって、当該一の能力切替弁が連通するバーナに隣接して設けられたバーナに連通する能力切替弁に対して駆動電力を供給していなければ供給されないように上記弁駆動回路が構成されていることを特徴とする。
【００１８】
そして、好ましくは、上記弁駆動回路は、上記駆動電力を生成する電源手段と、上記各能力切替弁への通電を制御するスイッチ手段とを有してなり、上記一の能力切替弁に対する電源供給ラインが、上記電源手段から上記他の能力切替弁用のスイッチ手段を介して上記他の能力切替弁に駆動電力を供給する電源供給ラインに接続されるとともに、上記一の能力切替弁用の上記スイッチ手段が、これらの接続点と上記一の能力切替弁との間に介装されていることを特徴とする。
【００１９】
さらに、上記スイッチ手段は、上記所定の燃焼順序に従って能力切替弁の開弁順序を制御する制御手段によってスイッチのオン／オフ制御が行われる継電器で構成されていることを特徴とする。
【発明の効果】
【００２０】
本発明の燃焼装置によれば、燃焼能力を複数段階に切り替えるための、少なくとも３つ以上の能力切替弁と、上記各能力切替弁のそれぞれに連通するバーナを備えた燃焼装置であって、上記能力切替弁に駆動電力を供給する弁駆動回路が、燃焼能力の増大に応じて、上記能力切替弁を所定の燃焼順序に従って順次開弁させる制御構成を備えた燃焼装置において、一の能力切替弁への開弁制御用の駆動電力が、上記所定の燃焼順序において上記一の能力切替弁の前に開弁する他の能力切替弁に対して駆動電力を供給していなければ供給されないように上記弁駆動回路が構成されているので、バーナの燃焼順序において先行するバーナの能力切替弁が開弁していないと、それ以降のバーナの能力切替弁は開弁しないので、火移りが起こらずに未燃焼ガスが放出されることがない。したがって、本発明によれば、燃焼順序が他のバーナよりも後になるバーナ（具体的には燃焼順序が３番目以降のバーナ）について、従来のような専用の監視回路を設ける必要がないので、低コストの燃焼装置を提供することができる。
【００２１】
また、本発明の他の実施態様に示す燃焼装置によれば、燃焼能力を複数段階に切り替えるための、少なくとも３つ以上の能力切替弁と、上記各能力切替弁のそれぞれに連通するバーナを備えた燃焼装置であって、上記能力切替弁に駆動電力を供給する弁駆動回路が、燃焼能力の増大に応じて、上記能力切替弁を所定の燃焼順序に従って順次開弁させる制御構成を備えた燃焼装置において、一の能力切替弁への開弁制御用の駆動電力が、上記所定の燃焼順序において上記一の能力切替弁の前に開弁する他の能力切替弁であって、当該一の能力切替弁が連通するバーナに隣接して設けられたバーナに連通する能力切替弁に対して駆動電力を供給していなければ供給されないように上記弁駆動回路が構成されているので、たとえば、最初に燃焼を開始するバーナの右側に２番目、３番目に燃焼を開始するバーナが配置され、左側に４番目、５番目に燃焼を開始するバーナが配置されるなど燃焼順序の設定が変則的な場合でも、隣接するバーナの能力切替弁が開弁していないと後続のバーナの能力切替弁は開弁しないので、火移りが起こらずに未燃焼ガスが放出されるおそれがない。したがって、この場合でも、燃焼順序が他のバーナよりも後になるバーナについて、従来のような専用の監視回路を設ける必要がないので、低コストの燃焼装置を提供することができる。
【発明を実施するための最良の形態】
【００２２】
以下、本発明の実施形態を図面に基づいて詳細に説明する。
【００２３】
実施形態１
図１は本発明に係る燃焼装置における弁駆動回路の回路構成の一例を示している。この図１に示す回路は、上述した図４に示す構成の燃焼装置、すなわち、能力切替弁として３個の電磁弁ＳＶ１〜ＳＶ３と、これら能力切替弁の上流に設けられる１個の元ガス電磁弁ＳＶを備えた燃焼装置の弁駆動回路を示している。
【００２４】
なお、本実施形態に示す弁駆動回路は、上述した図５に示す弁駆動回路の回路構成を改変したものであるので、従来と同様の機能を備えた部位については図５と同じ符号を用いる。すなわち、図中符号ＳＬで示すのは、上記元ガス電磁弁ＳＶの駆動コイル（ソレノイド）であり、符号ＳＬ１〜ＳＬ３で示すのは、能力切替弁ＳＶ１〜ＳＶ３の各駆動コイル（ソレノイド）である。また、各電磁弁ＳＶ，ＳＶ１〜ＳＶ３のソレノイドＳＬ，ＳＬ１〜ＳＬ３に駆動電力を与えるスイッチ手段として作用するリレー接点には符号ＲＬ，ＲＬ１〜ＲＬ３を用いる。さらに符号３は燃焼装置の制御装置を示している。
【００２５】
また、各能力切替弁ＳＶ１〜ＳＶ３は、それぞれ第１から第３のバーナＢ１〜Ｂ３に連通して設けられており、各バーナＢ１〜Ｂ３は、それに連通する能力切替弁ＳＶ１〜ＳＶ３を開弁させることによって燃料ガスが供給されるように構成されている点や、第１のバーナＢ１の対向位置には着火装置１が設けられており（図４参照）、燃焼能力の増大に応じて、制御装置３の制御によって所定の燃焼順序、具体的には第１，第２，第３のバーナ（Ｂ１〜Ｂ３）の順で能力切替弁ＳＶ１〜ＳＶ３が順次開弁されるように構成されている点も従来と同様である。
【００２６】
そこで、本発明の特徴的な構成について説明する。本発明の燃焼装置は、バーナからの未燃焼ガスの放出を防止するために、複数ある能力切替弁のうちの一つを開弁させる際に、上記所定の燃焼順序において当該一の能力切替弁の前に開弁する他の能力切替弁に開弁用の駆動電力が供給されていなければ、当該一の能力切替弁には駆動電力が与えられないように弁駆動回路を構成したものである。
【００２７】
ところで、図４に示す燃焼装置では、上述したように、第１のバーナＢ１への着火は着火装置１によって行われ、また、第２のバーナＢ２への着火は上記第１のバーナＢ１の炎を火種としてこの炎を第２のバーナに火移りさせて着火するので、これら第１および第２のバーナＢ１，Ｂ２から未燃焼ガスが放出される可能性は極めて少ない。
【００２８】
これは、第１のバーナＢ１への着火確認は、上述した炎検出装置２によって行われており、通常の燃焼装置であれば、この炎検出装置２により炎が検出されなければ（第１のバーナＢ１が未着火であれば）、元ガス電磁弁ＳＶを閉弁するなどの所定の安全動作が行われるからであり、また、第１のバーナＢ１が着火していれば、それに隣接する第２のバーナＢ２への火移りはほぼ確実に行われるからである。
【００２９】
したがって、図４に示すように、着火装置１によって着火されるバーナ（第１のバーナ）から一方向に（紙面において左側から右側に）隣接するバーナに順次火移りさせながら各バーナに着火させる構成の燃焼装置においては、未燃焼ガスの放出が問題となるのは、着火装置１によって直接着火されるバーナ（図示例では第１のバーナＢ１）とそれに隣接するバーナ（図示例では第２のバーナＢ２）以外のバーナ（図示例では第３のバーナＢ３）ということになる。
【００３０】
本実施形態に示す燃焼装置は、このように着火装置１から直接着火されるバーナから離れた位置にあるバーナからの未燃焼ガスの放出を防止するための対策を講じた回路であり、そのために以下のような構成を備えている。
【００３１】
すなわち、本実施形態では、図１に示すように、未燃焼ガスの放出防止対策が必要な能力切替弁（図示例では第３のバーナに連通する能力切替弁）ＳＶ３のソレノイドＳＬ３への駆動電源の電源供給ラインが、直流電源回路４に直接接続されるのではなく、上記所定の燃焼順序においてこの能力切替弁ＳＶ３よりも前（好ましくは直前）に開弁する能力切替弁（図示例では第２のバーナに連通する能力切替弁）ＳＶ２のソレノイドＳＬ２への電源供給ラインに接続され、このソレノイドＳＬ２に対する電源供給ラインを介して駆動電力の供給を受けるように構成される。
【００３２】
具体的には、従来の弁駆動回路では、直流電源回路４の出力側の一端と各電磁弁ＳＶ，ＳＶ１〜ＳＶ３のソレノイドＳＬ，ＳＬ１〜ＳＬ３の一端とがリレー接点ＲＬ，ＲＬ１〜ＲＬ３を介して結線されるとともに、ソレノイドＳＬ，ＳＬ１〜ＳＬ３の他端と直流電源回路４の出力側の他端とが共通のコモンリレー接点ＲＬｃを介して接続されており、リレー接点ＲＬ，ＲＬ１〜ＲＬ３を閉成させることによって対応する個々のソレノイドＳＬ，ＳＬ１〜ＳＬ３に駆動電力が供給されるように構成されていたのに対して、本実施形態では、第３のバーナＢ３の能力切替弁ＳＶ３を除く他の電磁弁、つまり、元ガス電磁弁ＳＶおよび能力切替弁ＳＶ１，ＳＶ２は従来と同様の構成であるが、未燃焼ガスの放出防止対策が必要な能力切替弁ＳＶ３については、上記燃焼順序において能力切替弁ＳＶ３より前に開弁する能力切替弁ＳＶ２のソレノイドＳＬ２とリレー接点ＲＬ２とを結線する接続ライン上に、リレー接点ＲＬ３を介して能力切替弁ＳＶ３のソレノイドＳＬ３の一端が接続される（図中の接続点Ｘ参照）。
【００３３】
つまり、燃焼順序において第３のバーナＢ３に先行する第２のバーナＢ２の能力切替弁ＳＶ２（ソレノイドＳＬ２）に駆動電力が供給されていない状態で（換言すればリレー接点ＲＬ２が閉成していない状態で）、第３のバーナＢ３の能力切替弁ＳＶ３に駆動電力を供給するためのリレー接点ＲＬ３を閉成させても能力切替弁ＳＶ３のソレノイドＳＬ３には直流電源回路４からの駆動電力が供給されないように構成される。
【００３４】
したがって、本実施形態に示す弁駆動回路を用いた燃焼装置によれば、第３のバーナに連通する能力切替弁ＳＶ３を開弁させるには、上記所定の燃焼順序において第３のバーナＢ３より前に開弁する第２のバーナＢ２の能力切替弁ＳＶ２に開弁用の駆動電力を供給していなければならないので、第２のバーナＢ２が燃焼していない状態で第３のバーナＢ３から燃料ガスが放出されることがない。そのため、従来の燃焼装置のように第３のバーナＢ３について専用の弁監視回路ａを設けることなしに、未燃焼ガス放出のおそれのない燃焼装置を提供でき、これにより燃焼装置を安価に提供することができる。
【００３５】
実施形態２
次に、本発明の他の実施形態について図２および図３に基づいて説明する。図２は、図４に示す燃焼装置とは能力切替弁の構成配置が異なる燃焼装置を示している。
【００３６】
図示のように、本実施形態に示す燃焼装置は、着火装置１によって着火される第１のバーナＢ１を挟んで両側に複数（図示例では２個ずつ）のバーナを備えて構成される。そして、これらのバーナの燃焼順序は、燃焼能力の増大に応じて、まず、第１のバーナＢ１の一側に設けられた第２，第３のバーナＢ２，Ｂ３を順次燃焼させ、さらに燃焼能力の増大が必要な時には、第１のバーナＢ１の他の一側に設けられた第４，第５のバーナＢ４，Ｂ５を順次燃焼させるように構成されている。つまり、燃焼能力の増加に応じてこれら第１から第５のバーナＢ１〜Ｂ５のそれぞれに連通する能力切替弁ＳＶ１〜ＳＶ５が順次開弁されるように構成されている。
【００３７】
なお、着火装置１がバーナＢ１の燃料噴射口に臨んで設けられている点や、炎検出装置２、元ガス電磁弁ＳＶ等を備える点は実施形態１の場合と同様である。
【００３８】
次にこのように能力切替弁が配設された燃焼装置の弁駆動装置の一例を図３に基づいて説明する。
【００３９】
この場合、着火装置１によって着火されるバーナＢ１とそれに隣接する第２および第４のバーナＢ２，Ｂ４については上述したのと同じ理由で未燃焼ガスの放出のおそれは少ないが、第２および第４のバーナＢ２，Ｂ４の外側に設けられた第３および第５のバーナＢ３，Ｂ５については未燃焼ガスの放出を防止する対策を講じる必要がある。
【００４０】
図３は、このような対策を講じた弁駆動回路の一例を示している。すなわち、この場合、上記第２のバーナＢ２の外側にある第３のバーナＢ３のソレノイドＳＬ３は、上述した実施形態１と同様に、リレー接点ＲＬ３を介して、燃焼順序が先行する第２のバーナＢ２の能力切替弁ＳＶ２のソレノイドＳＬ２に駆動電力を供給する電源供給ラインに結線される（図中の接続点Ｘ参照）。
【００４１】
一方、上記第４のバーナＢ４の外側にある第５のバーナＢ５のソレノイドＳＬ５は、リレー接点ＲＬ５を介して、燃焼順序が先行する第４のバーナＢ４の能力切替弁ＳＶ４のソレノイドＳＬ４に駆動電力を供給する電源供給ラインに結線される（図中の接続点Ｙ参照）。
【００４２】
つまり、本実施形態では、燃焼順序において第３のバーナＢ３に先行する第２のバーナＢ２の能力切替弁ＳＶ２（ソレノイドＳＬ２）に駆動電力が供給されていなければ（換言すればリレー接点ＲＬ２が閉成していなければ）、リレー接点ＲＬ３を閉成させても能力切替弁ＳＶ３のソレノイドＳＬ３には駆動電力が供給されず、また、第５のバーナＢ５に先行する第４のバーナＢ４の能力切替弁ＳＶ４（ソレノイドＳＬ４）に駆動電力が供給されていなければ（換言すればリレー接点ＲＬ４が閉成していなければ）、リレー接点ＲＬ５を閉成させても能力切替弁ＳＶ５のソレノイドＳＬ５には駆動電力が供給されないように構成されている。そのため、本実施形態によれば、第３および第５のバーナＢ３，Ｂ５から未燃焼の燃焼ガスが放出されることがなく、従来の燃焼装置のように能力切替弁についての弁監視回路ａを設けることなしに、未燃焼ガス放出のおそれのない燃焼装置を提供でき、安価な燃焼装置を提供できる。
【００４３】
なお、上述した実施形態はあくまでも本発明の好適な実施態様を示すものであって、本発明はこれらに限定されることなくその範囲内で種々の設計変更が可能である。
【００４４】
たとえば、上述した実施形態１では、能力切替弁が３個設けられた場合を示したが、４個以上設けられている場合には、燃焼順序が４番目以降となるバーナの能力切替弁は燃焼順序が先行し、かつ隣接するバーナの能力切替弁に駆動電力を供給する電源ラインにリレー接点を介して接続される。具体的には、たとえば、第３のバーナに隣接して第４のバーナが設けられる場合には、この第４のバーナの能力切替弁に駆動電力を供給する電源ラインが、第３のバーナに駆動電力を供給する電源ラインと結線され、第３のバーナに駆動電力が供給されていなければ（換言すれば、第３のバーナのリレー接点が閉成していなければ）、第４のバーナの能力切替弁が開弁しないように構成される。
【００４５】
また、上述した第１及び第２の実施形態では、未燃焼ガスの放出防止対策として、未燃焼ガス放出防止対策を施した能力切替弁の電源ラインを、燃焼順序が直前のバーナの能力切替弁に対する電源ラインに接続する構成を示したが、火移りによる着火が可能であれば、燃焼順序が直前のバーナでなくとも他のバーナの能力切替弁に対する電源供給ラインに接続することも可能である。つまり、先行して燃焼するバーナであって、かつこのバーナの炎を火種として火移りによる着火が可能であれば、隣接するバーナ以外のバーナへの電源供給ラインに接続することも可能である。
【００４６】
なお、上述した実施形態１および２において図示した元ガス電磁弁ＳＶの弁監視回路６は、元ガス電磁弁ＳＶのソレノイドＳＬへの通電を電圧により監視する電圧監視型を示したが、電流を監視するタイプの弁監視回路を用いることももちろん可能である。
【図面の簡単な説明】
【００４７】
【図１】本発明の燃焼装置の弁駆動回路の一実施形態を示す回路図である。
【図２】同燃焼装置における能力切替弁の構成配置の一例を示す説明図である。
【図３】図２に示す燃焼装置の弁駆動回路の一実施態様を示す回路図である。
【図４】従来の燃焼装置における能力切替弁の構成配置の一例を示す説明図である。
【図５】従来の燃焼装置の弁駆動回路の一実施態様を示す回路図である。
【符号の説明】
【００４８】
１              着火装置
２              炎検出装置
３              制御装置（制御手段）
４              直流電源回路
６              元ガス電磁弁の弁監視回路
Ｂ１〜Ｂ５      バーナ
ＳＶ            元ガス電磁弁
ＳＶ１〜ＳＶ５  能力切替弁
ＳＬ            元ガス電磁弁のソレノイド
ＳＬ１〜ＳＬ５  能力切替弁のソレノイド
ＲＬ１〜ＲＬ５  リレー接点（スイッチ手段）
【図１】
2005069556.tif 000003
【図２】
2005069556.tif 000004
【図３】
2005069556.tif 000005
【図４】
2005069556.tif 000006
【図５】
2005069556.tif 000007